(57)【要約】【課題】色成分毎に偏光情報を容易に取得できるようにする。【解決手段】光学素子としてワイヤーグリッド偏光子を撮像素子の入射面に設ける。ワイヤーグリッドの配列方向は所望の偏光情報が得られる方向で、配列周期は入射光から所望の波長の光を透過する周期とする。配列方向と配列周期は画素単位で設定する。例えば、２×２画素の画素ブロックでは、各画素の配列方向は、互いに異なる４つの偏光方向とする。また、画素ブロックでは、各画素における配列周期が等しい周期とする。例えば赤色成分の偏光情報を取得する赤色単位ＵＰｒの画素ブロックは赤色成分に応じた配列周期Λｒθａ、緑色成分の偏光情報を取得する緑色単位ＵＰｇの画素ブロックは緑色成分に応じた配列周期Λｇθａ、青色成分の偏光情報を取得する青色単位ＵＰｂの画素ブロックは青色成分に応じた配列周期Λｂθａとする。また、入射光の入射角に応じて配列周期等を調整する。【選択図】        図８
2019159080.tif 000002
【特許請求の範囲】
【請求項１】
金属ワイヤーの配列方向が所望の偏光情報が得られる方向であり、前記金属ワイヤーの配列周期が入射光から所望の波長の光を透過する周期である光学素子を、撮像素子の入射面に設けた
固体撮像装置。
【請求項２】
前記光学素子は、ワイヤーグリッド偏光子である
請求項１に記載の固体撮像装置。
【請求項３】
前記ワイヤーグリッドの前記配列方向と前記配列周期を画素単位で設定した
請求項２に記載の固体撮像装置。
【請求項４】
複数画素からなる画素ブロックにおいて、各画素における前記ワイヤーグリッドの配列方向を互いに異なる方向とした
請求項３に記載の固体撮像装置。
【請求項５】
前記複数画素からなる画素ブロックでは、各画素における前記ワイヤーグリッドの配列周期を等しい周期とする
請求項４に記載の固体撮像装置。
【請求項６】
画素毎または前記画素ブロック毎にレンズを設けて、前記入射光を前記レンズと前記ワイヤーグリッドを介して前記入射面に入射させる
請求項２に記載の固体撮像装置。
【請求項７】
前記入射光の入射角に応じて、前記画素または前記画素ブロックに対する前記レンズの位置を前記入射光の方向へ移動する
請求項６に記載の固体撮像装置。
【請求項８】
前記入射光の入射角に応じて前記配列周期を調整して、前記所望の波長の光を透過させる
請求項１に記載の固体撮像装置。
【請求項９】
非球面レンズを介して入射光が入射される場合、前記非球面レンズを介した入射光の入射角に応じて前記配列周期を調整する
請求項８に記載の固体撮像装置。
【発明の詳細な説明】
【技術分野】
【０００１】
この技術は、固体撮像装置に関し、色成分毎に偏光情報を得られるようにする。
【背景技術】
【０００２】
従来、例えば特許文献１では、受光素子（光電変換層）に光共鳴構造体を形成し、局在プラズモン共鳴または導波モード共鳴の性質を利用して色分解を行うことが記載されている。また、非特許文献１では、可視領域の波長を励起可能な程度の周期構造を有するＡｌナノワイヤーアレイを用いて、可視域プラスモニックフィルタを構成することが記載されている。
【先行技術文献】
【特許文献】
【０００３】
【特許文献１】特許第５３００３４４号公報
【非特許文献】
【０００４】
【非特許文献１】本間浩章「ＭＥＭＳ技術を用いた表面プラズモンの異常透過制御技術の研究」豊橋技術科学大学 学位授与番号 甲第741号 2016-03-23、インターネット（URL：http://id.nii.ac.jp/1117/00001948/)
【発明の概要】
【発明が解決しようとする課題】
【０００５】
ところで、多波長分光特性を有するためには、特許文献１や非特許文献１のように、表面プラズモン特性を利用することが一般的である。しかし、特許文献１や非特許文献１の技術では、被写体の偏光特性を示す偏光情報を取得することができない。
【０００６】
そこで、この技術では、色成分毎に偏光情報を容易に取得できる固体撮像装置を提供することを目的とする。
【課題を解決するための手段】
【０００７】
この技術の第１の側面は、
金属ワイヤーの配列方向が所望の偏光情報が得られる方向であり、前記金属ワイヤーの配列周期が入射光から所望の波長の光を透過する周期である光学素子を、撮像素子の入射面に設けた
固体撮像装置にある。
【０００８】
この技術においては、光学素子としてワイヤーグリッド偏光子を撮像素子の入射面に設ける。ワイヤーグリッドの配列方向は所望の偏光情報が得られる方向であり、配列周期は入射光から所望の波長の光を透過する周期とされている。また、ワイヤーグリッドの配列方向と配列周期は画素単位で設定されている。例えば、複数画素からなる画素ブロックにおいて、各画素におけるワイヤーグリッドの配列方向が互いに異なる方向とされている。また、複数画素からなる画素ブロックでは、各画素におけるワイヤーグリッドの配列周期が等しい周期とされている。
【０００９】
また、画素毎または画素ブロック毎にレンズを設けて、入射光をレンズとワイヤーグリッドを介して入射面に入射させる。また、入射光の入射角に応じて、画素または画素ブロックに対するレンズの位置を入射光の方向へ移動する。さらに、入射光の入射角に応じて配列周期を調整して、所望の波長の光を透過させる。
【００１０】
また、非球面レンズを介して入射光が入射される場合、非球面レンズを介した入射光の入射角に応じて配列周期を調整する。
【発明の効果】
【００１１】
この技術によれば、金属ワイヤーの配列方向が所望の偏光情報が得られる方向であり、前記金属ワイヤーの配列周期が入射光から所望の波長の光を透過する周期である光学素子が、撮像素子の入射面に設けられる。このため、色成分毎に偏光情報を容易に取得できるようになる。なお、本明細書に記載された効果はあくまで例示であって限定されるものではなく、また付加的な効果があってもよい。
【図面の簡単な説明】
【００１２】
【図１】表面プラズモンを説明するための図である。
【図２】表面プラズモン励起の光学配置を示した図である。
【図３】ＣＭＯＳイメージセンサの概略構成を示す図である。
【図４】ＣＭＯＳイメージセンサの構成例を模式的に示す断面図である。
【図５】画素アレイ部の画素配置を例示した図である。
【図６】画素ブロックＢＰａの構成を例示した図である。
【図７】中央部分の画素ブロックＢＰａと周辺部分の画素ブロックＢＰｂを例示した図である。
【図８】画素アレイ部がベイヤー配列である場合の中央部分の画素ブロックＢＰａを例示した図である。
【図９】ＣＭＯＳイメージセンサを複数用いて色成分毎の偏光情報を取得する場合の構成を例示した図である。
【図１０】固体撮像装置の他の構成を示す図である。
【図１１】入射角に応じてオンチップレンズと画素の位置関係を調整した場合を示している。
【発明を実施するための形態】
【００１３】
以下、本技術を実施するための形態について説明する。なお、説明は以下の順序で行う。
１．プラズモン励起に必要な周期構造について
２．固体撮像装置の構成について
３．固体撮像装置の他の構成について、
４．具体例
【００１４】
＜１．プラズモン励起に必要な周期構造について＞
表面プラズモンは、金属の表面１００ｎｍ近傍の領域に存在するプラズマ電子による縦波であり、これらがある条件下で励起すなわちエネルギーの授受が行われる。
【００１５】
図１は、表面プラズモンを説明するための図である。金属中のプラズモン（プラズマ波）は、表面近傍で光と相互作用する表面モードが存在しており、表面プラズモンと呼ばれている。図１の（ａ）は、表面プラズモンの概念図である。表面近傍では，電子の粗密波に起因した面法線方向の電場成分が存在しており、面法線方向の電場成分を有するｐ偏光の入射光を用いることで表面プラズモンを励起することが可能であることが知られている。また、表面プラズモンが自由空間中を伝搬する光とは異なる分散関係を示すことが知られている。分散関係は、界面における表面プラズモンの波数ｋx、金属媒質の誘電率ε1と周辺媒質の誘電率ε2を用いて、式（１）として表すことができる。ここで、「ω」は角振動数、「ｃ」は真空中の光速である。
【００１６】
【数１】
2019159080.tif 000003
【００１７】
図１の（ｂ）は表面プラズモンの分散関係を示している。ここで、入射光（ｋ＝ω／ｃ）を示すライトラインＬＬの左側の領域にあれば，光による励起が可能である。しかし、平坦な金属表面での表面プラズモンの分散曲線は常にライトラインＬＬの右側にありライトラインＬＬとの交点を持たない。すなわち，自由空間を伝搬する光では表面プラズモンを励起できない。そこで、表面プラズモンを励起するために例えば回折格子を用いる。
【００１８】
図２は、表面プラズモン励起の光学配置を示している。回折光の波数ｋxは、式（２）の関係となる。なお、「ｋ0」は伝搬光の持つ波数、「ｍ」は回折次数であり整数である。「Ｋ」は格子ベクトルである。
ｋx＝ｋ0・Ｓｉｎθ＋ｍＫ          ・・・（２）
【００１９】
また、光が回折格子に入射すると分散曲線は格子ベクトルＫ＝２π／Λの整数倍だけシフトして、回折光と表面プラズモンの分散曲線の交わる点が生じる。なお、「Λ」は回折格子の周期である。したがって、光の入射角θや回折格子の周期Λを調整して、回折光と表面プラズモンの分散曲線を一致させて、エネルギー授受すなわち励起光（透過光）を生成できるようにする。
【００２０】
さらに、光の入射角θが「０」である場合に比べて、入射角θが大きくなると、波数のシフトが大きくなり、エネルギー授受によって生じる励起光（透過光）の波長（励起波長，透過波長）は短波長にシフトする。したがって、同一波長を励起（透過）するために、入射角に応じて回折格子の周期Λを広げるようにする。
【００２１】
次に、回折格子の周期構造について説明する。励起される入射光は周期構造（周期方向）に対して平行なｐ偏光である。回折格子に用いる金属は、プラズマ周波数が高いほど波長選択（表面プラズモン）範囲が広くなる。また、プラズマ振動は縦波であり、プラズマ周波数以下の周波数の光は金属表面で全反射される。ここで、プラズマ周波数ωpは、式（３）に基づき波長λに換算することができる。
λ  ＝  ２πｃ／ωp    ・・・（３）
【００２２】
また、式（４）に基づき可視光波長λvを角周波数ωに変換できる。
ω  ＝  ２πｃ／λv    ・・・（４）
【００２３】
さらに、回折格子に用いる金属の誘電率の周波数依存性は、無損失ドルーデモデルである式（５）に基づき算出できる。
ε（ω）  ＝  １−（ωｐ２／ω２）      ・・・（５）
【００２４】
また、埋め込み材の誘電率ε1とすると、励起に必要な周期構造の周期Λは式（６）に基づき算出できる。なお、誘電率ε2は、式（５）に基づいて算出された誘電率ε(ω)である。「ｍ」は整数，「ｋ」は波数ベクトル、「θ」は入射角である。
【００２５】
【数２】
2019159080.tif 000004
【００２６】
＜２．固体撮像装置の構成について＞
図３は、本技術が適用される固体撮像装置、例えばＸ−Ｙアドレス方式のＣＭＯＳイメージセンサの概略構成を示している。ここで、ＣＭＯＳイメージセンサとは、ＣＭＯＳプロセスを応用して、または、部分的に使用して作成されたイメージセンサである。
【００２７】
ＣＭＯＳイメージセンサ１０は、図示せぬ半導体基板（チップ）上に形成された画素アレイ部１１と、画素アレイ部１１と同じ半導体基板上に集積された周辺回路部とを有する構成となっている。周辺回路部は、例えば、垂直駆動部１２、カラム処理部１３、水平駆動部１４及びシステム制御部１５から構成されている。
【００２８】
また、ＣＭＯＳイメージセンサ１０は、信号処理部１８及びデータ格納部１９を備えている。信号処理部１８及びデータ格納部１９については、ＣＭＯＳイメージセンサ１０と同じ基板上に搭載しても構わないし、本ＭＯＳイメージセンサ１０と別の基板上に配置するようにしても構わない。また、信号処理部１８及びデータ格納部１９の各処理については、ＣＭＯＳイメージセンサ１０とは別の基板に設けられる外部信号処理部やソフトウェアによる処理でも構わない。
【００２９】
画素アレイ部１１は、複数の単位画素が行方向及び列方向に配置された構成となっている。ここで、行方向とは画素行の画素の配列方向（例えば水平方向）であり、列方向とは画素列の画素の配列方向（例えば垂直方向）とする。
【００３０】
画素アレイ部１１には、金属ワイヤーの配列方向を所望の偏光情報が得られる方向として、金属ワイヤーの配列周期（回折格子の周期に相当）を入射光から所望の波長の光を透過する周期とした光学素子、例えばワイヤーグリッド偏光子が後述する入射面に設けられて、偏光画素を有するように構成されている。なお、偏光画素の詳細については後述する。
【００３１】
画素アレイ部１１単位画素は、受光した光量に応じた電荷を生成しかつ蓄積する光電変換部（例えば、フォトダイオード）、及び、複数の画素トランジスタを有する。複数の画素トランジスタは、例えば、転送トランジスタ、リセットトランジスタ、および増幅トランジスタの３つのトランジスタで構成することができる。あるいは、複数の画素トランジスタは、さらに選択トランジスタを追加して４つのトランジスタで構成することもできる。なお、各画素の等価回路は一般的なものと同様であるので、ここでは詳細な説明は省略する。
【００３２】
画素アレイ部１１において、画素行毎に行信号線としての画素駆動線１６が行方向に沿って配線され、画素列毎に列信号線としての垂直信号線１７が列方向に沿って配線されている。画素駆動線１６は、画素から信号を読み出す際の駆動を行うための駆動信号を伝送する。図３では、画素駆動線１６について１本の配線として示しているが、１本に限られるものではない。画素駆動線１６の一端は、垂直駆動部１２の各行に対応した出力端に接続されている。
【００３３】
垂直駆動部１２は、シフトレジスタやアドレスデコーダなどによって構成され、画素アレイ部１１の各画素を全画素同時あるいは行単位等で駆動する。すなわち、垂直駆動部１２は、垂直駆動部１２を制御するシステム制御部１５と共に、画素アレイ部１１の各画素の動作を制御する駆動部を構成している。この垂直駆動部１２はその具体的な構成については図示を省略するが、一般的に、読出し走査系と掃出し走査系の２つの走査系を有する構成となっている。
【００３４】
読出し走査系は、単位画素から信号を読み出すために、画素アレイ部１１の単位画素を行単位で順に選択走査する。単位画素から読み出される信号はアナログ信号である。掃出し走査系は、読出し走査系によって読出し走査が行われる読出し行に対して、その読出し走査よりも露光時間分だけ先行して掃出し走査を行う。
【００３５】
この掃出し走査系による掃出し走査により、読出し行の単位画素の光電変換部から不要な電荷が掃き出されることによって当該光電変換部がリセットされる。そして、この掃出し走査系による不要電荷の掃き出す（リセットする）ことにより、いわゆる電子シャッタ動作が行われる。
【００３６】
読出し走査系による読出し動作によって読み出される信号は、その直前の読出し動作または電子シャッタ動作以降に受光した光量に対応するものである。そして、直前の読出し動作による読出しタイミングまたは電子シャッタ動作による掃出しタイミングから、今回の読出し動作による読出しタイミングまでの期間が、単位画素における電荷の露光期間となる。
【００３７】
垂直駆動部１２によって選択走査された画素行の各単位画素から出力される信号は、画素列毎に垂直信号線１７の各々を通してカラム処理部１３に入力される。カラム処理部１３は、画素アレイ部１１の画素列毎に、選択行の各画素から垂直信号線１７を通して出力される信号に対して所定の信号処理を行うとともに、信号処理後の画素信号を一時的に保持する。例えば、カラム処理部１３は、信号処理として、ノイズ除去処理やＡ／Ｄ（アナログ−デジタル）変換等を行う。
【００３８】
水平駆動部１４は、シフトレジスタやアドレスデコーダなどによって構成され、カラム処理部１３の画素列に対応する単位回路を順番に選択する。この水平駆動部１４による選択走査により、カラム処理部１３において単位回路毎に信号処理された画素信号が順番に出力される。
【００３９】
システム制御部１５は、各種のタイミング信号を生成するタイミングジェネレータなどによって構成され、当該タイミングジェネレータで生成された各種のタイミングを基に、垂直駆動部１２、カラム処理部１３、及び、水平駆動部１４などの駆動制御を行う。
【００４０】
信号処理部１８は、カラム処理部１３から出力される画素信号に対して種々の信号処理を行う。画素アレイ部１１では、後述するように色成分毎の偏光情報を取得できる。したがって、信号処理部１８は、色成分毎の偏光情報に基づき、後述するように偏光特性情報を取得する。また、信号処理部１８は、例えば特許文献（国際公開第２０１６／１３６０８５号）の技術を用いることで、偏光特性情報に基づき反射成分の分離や抽出等を行う。さらに、信号処理部１８は、例えば特許文献（国際公開第２０１６／１７４９１５号）の技術を用いることで、被写体の認識や向き・姿勢の判別等を行ってもよい。
【００４１】
データ格納部１９は、信号処理部１８での信号処理に当たって、その処理に必要なデータを一時的に格納する。
【００４２】
図４は、ＣＭＯＳイメージセンサの構成例を模式的に示す断面図である。なお、図４では、偏光画素の部分の断面を示している。
【００４３】
なお、以下、光の入射側（図４の上側）をＣＭＯＳイメージセンサ１０の上方とし、光の入射側と反対側（図４の下側）をＣＭＯＳイメージセンサ１０の下方とする。
【００４４】
ＣＭＯＳイメージセンサ１０は、半導体基板１０２の配線層１０１が積層されている表面とは逆の裏面側から光が入射する、いわゆる裏面照射型の構造を有している。なお、以下、半導体基板１０２の裏面を入射面あるいは撮像面と称する。
【００４５】
配線層１０１には、配線１２１が複数の層にわたって積層されている。また、配線層１０１の半導体基板１０２との境界付近に、各画素に対してゲート電極１２２が形成されている。
【００４６】
半導体基板１０２には、偏光画素の領域内に光電変換素子１２３が形成されている。なお、光電変換素子１２３は、例えばフォトダイオードにより構成される。
【００４７】
各光電変換素子１２３間には、半導体基板１０２の入射面側からトレンチが形成されている。半導体基板１０２の入射面及びトレンチの壁面には絶縁膜１２４が形成されている。また、半導体基板１０２のトレンチ内には、遮光膜１２５の垂直部１２５ａが埋め込まれている。
【００４８】
半導体基板１０２の入射面上には、絶縁膜１２４を介して、遮光膜１２５の水平部１２５ｂ、偏光子１２６が形成されている。
【００４９】
遮光膜１２５の水平部１２５ｂは、半導体基板１０２の入射面を覆うとともに、光電変換素子１２３の上方に開口部が形成されている。すなわち、遮光膜１２５の水平部１２５ｂは、隣接する画素の間を埋めるように形成されている。この遮光膜１２５の垂直部１２５ａ及び水平部１２５ｂにより、隣接する画素からの斜め方向の光の入射が抑制される。
【００５０】
偏光子１２６は、遮光膜１２５の水平部１２５ｂの光電変換素子１２３の上方の開口部に形成され、光電変換素子１２３の上面（入射面）を覆っている。偏光子１２６は、例えばワイヤーグリッド偏光子である。偏光子１２６は、ワイヤーグリッドの延びる方向と直行する方向の電界成分を持つ偏光波を通過させ、ワイヤーグリッドの延びる方向と平行な電界成分を持つ偏光波の通過を抑制する。偏光子１２６の材料としては、例えば、アルミニウム、銅、金、銀、白金、タングステン、あるいは、これらの金属を含む合金等が用いられる。偏光子１２６では、ワイヤーグリッドを所望の偏光情報が得られる方向として設けた構成とされており、ワイヤーグリッドの配列周期は、後述するように透過する色および入射光の入射角に応じて設定されている。なお、図４および後述する図１０，図１１では、赤色画素ＰＸｒと赤色画素よりも波長の短い例えば緑色画素ＰＸｂを示している。
【００５１】
次に、画素アレイ部１１について説明する。画素アレイ部１１は偏光画素あるいは偏光画像と無偏光画素を用いて構成されている。偏光画素では、ワイヤーグリッドの配列方向を所望の偏光情報が得られる方向とする。また、偏光画素では、ワイヤーグリッドの配列周期を入射光から所望の波長の光を透過（励起）する周期とする。このワイヤーグリッドを、上述したように光電変換素子１２３の上方、すなわちＣＭＯＳイメージセンサの入射面に設ける。
【００５２】
ワイヤーグリッドの配列方向と配列周期は画素単位で設定されている。また、偏光画素は、例えば複数画素からなる画素ブロックにおいて、各画素のワイヤーグリッドの配列方向が互いに異なる方向とされている。したがって、画素ブロック毎に、偏光方向が異なる複数の偏光情報を取得できる。
【００５３】
また、ワイヤーグリッドの配列方向は、異なる配列方向の偏光画素の画素値を用いて偏光特性情報を取得できるように設定する。例えば、拡散反射の場合、最大輝度Ｉdmaxが観測されたときの偏光角υpolを方位角φdとすると、偏光角を回転させたときに観測される輝度Ｉdpolの変化、すなわち偏光角の違いによって生じる所定の輝度変化を示す偏光モデル式は、式（７）のように表すことができる。
【００５４】
【数３】
2019159080.tif 000005
【００５５】
式（７）では、偏光角υpolが偏光画像の生成時に明らかであり、最大輝度Ｉdmaxと最小輝度Ｉdminおよび方位角φdが変数となる。したがって、法線情報生成部３５は、変数が３つであることから、偏光方向が３方向以上の偏光画像の輝度を用いて式（７）に示す関数へのフィッティングを行い、輝度と偏光角の関係を示す偏光特性情報を取得できる。
【００５６】
また、複数画素からなる画素ブロックでは、各画素におけるワイヤーグリッドの配列周期を等しい周期とする。したがって、画素ブロック毎に、ワイヤーグリッドの配列周期に対応する色成分についての偏光特性情報を取得できるようになる。
【００５７】
図５は、画素アレイ部の画素配置を例示しており、中央部分の画素ブロックＢＰａは、入射光の入射角θａが「θａ＝０度」、周辺部分の画素ブロックＢＰｂでは、入射光の入射角θｂが「θｂ＞０度」となる。
【００５８】
図６は、画素ブロックＢＰａの構成を例示している。２×２画素の画素ブロックは、ワイヤーグリッドの配列方向が異なる４つの方向の何れかであって、互いに異なる配列方向とされている。また、２×２画素の画素ブロック内ではワイヤーグリッドの配列周期が配列周期Λθａとされている。なお、図６ではワイヤーグリッドが水平方向および１３５°の傾きを生じている場合を示しているが、ワイヤーグリッドが垂直方向および４５°の傾きを生じている場合も配列周期は同様である。
【００５９】
図７は、中央部分の画素ブロックＢＰａと周辺部分の画素ブロックＢＰｂを例示している。図７の（ａ）は、中央部分の画素ブロックＢＰａの構成を示しており、図６と同様に、２×２画素の画素ブロック内ではワイヤーグリッドが配列周期Λθａとされている。
【００６０】
図７の（ｂ）は周辺部分の画素ブロックＢＰｂの構成を示している。上述の「プラズモン励起に必要な周期構造について」で説明したように、入射角が大きくなると透過（励起）波長は短波長にシフトする。したがって、中央部分の画素ブロックＢＰａと同一波長を透過（励起）するために、ワイヤーグリッドを入射角に応じた配列周期Λθｂ（＞Λθａ）とする。このように、入射角に応じた配列周期とすれば、画素アレイ部の中央部だけでなく周辺部でも、同一波長の偏光情報を取得できるようになる。
【００６１】
また、画素アレイ部をベイヤー配列とする場合、２×２画素ブロックを色配列単位（４×４画素）として、４つの画素ブロックを赤色単位と青色単位と２つの緑色単位とする。図８は、画素アレイ部がベイヤー配列である場合の中央部分の画素ブロックＢＰａを例示している。
【００６２】
赤色単位ＵＰｒである２×２画素ブロック内ではワイヤーグリッドの配列周期が赤色の波長を透過（励起）するように配列周期Λｒθａとされている。緑色単位ＵＰｇである２×２画素ブロック内ではワイヤーグリッドの配列周期が緑色の波長を透過（励起）するように配列周期Λｇθａとされている。さらに、青色単位ＵＰｂである２×２画素ブロック内ではワイヤーグリッドの配列周期が青色の波長を透過（励起）するように配列周期Λｂθａとされている。
【００６３】
このように、ワイヤーグリッドの配列周期を調整すれば、カラーフィルタを用いることなく、色成分毎に偏光特性情報を取得できるようになる。また、図示せずも、入射角に応じて各色の配列周期を調整すれば、画素アレイ部の中央部だけでなく周辺部でも、色成分毎に偏光特性情報を取得できるようになる。
【００６４】
また、本技術では、数百〜千数百ｎｍの厚さのカラーフィルタを用いることなく１００〜数百ｎｍの厚さのワイヤーグリッドによって色成分毎に偏光情報を取得できる。このため、カラーフィルタをセンサ内に設けるＣＭＯＳイメージセンサに比べて、低背化構造を実現できる。また、低背化構造によって、瞳補正の補正量を少なくして所望の信号の狭帯域を実現することができ、各種製造上のマージンや特性上のマージンの確保が可能となる。
【００６５】
なお、図６乃至図８では、偏光方向が４方向である場合を示したが、偏光情報を粗にしても支障がない状況の場合（例えば凹凸のみを判別するような場合）、偏光方向を０度と９０度の２方向、あるいは４５度と１３５度の２方向を基本単位としてもよい。また、偏光方向に、例えば２２．５度、６７．５度、１１２．５度、１５７．５度等を追加して、基本単位を４方向よりも多くしてもよい。この場合、偏光情報を高精度に取得することが可能となる。
【００６６】
また、図６および図７に示す構成の画素アレイを有するＣＭＯＳイメージセンサを複数用いて、色成分毎の偏光情報を取得してもよい。例えば、赤色成分の偏光情報を取得するＣＭＯＳイメージセンサ１０Ｒでは、画素アレイの中央部におけるワイヤーグリッドの配列周期は赤色の波長を透過（励起）するように配列周期Λｒθａとする。また、周辺部におけるワイヤーグリッドの配列周期は、入射角に応じた配列周期として、例えば入射角θｂのときは配列周期Λｒθｂとする。
【００６７】
同様に、緑色成分の偏光情報を取得するＣＭＯＳイメージセンサ１０Ｇでは、画素アレイの中央部におけるワイヤーグリッドの配列周期は緑色の波長を透過（励起）するように配列周期Λｇθａとする。また、周辺部におけるワイヤーグリッドの配列周期は、入射角に応じた配列周期として、例えば入射角θｂのときは配列周期Λｇθｂとする。
【００６８】
さらに、青色成分の偏光情報を取得するＣＭＯＳイメージセンサ１０Ｂでは、画素アレイの中央部におけるワイヤーグリッドの配列周期は青色の波長を透過（励起）するように配列周期Λｂθａとする。また、周辺部におけるワイヤーグリッドの配列周期は、入射角に応じた配列周期として、例えば入射角θｂのときは配列周期Λｂθｂとする。
【００６９】
図９は、ＣＭＯＳイメージセンサを複数用いて色成分毎の偏光情報を取得する場合の構成を例示している。入射光は光分割部２０で例えば３つに分割される。分割された光は、赤色成分の偏光情報を取得するＣＭＯＳイメージセンサ１０Ｒと、緑色成分の偏光情報を取得するＣＭＯＳイメージセンサ１０Ｇと、青色成分の偏光情報を取得するＣＭＯＳイメージセンサ１０Ｂに入力される。ＣＭＯＳイメージセンサ１０Ｒでは、上述のように赤色成分の偏光情報を生成する。また、ＣＭＯＳイメージセンサ１０Ｇでは、上述のように緑色成分の偏光情報を生成する。さらに、ＣＭＯＳイメージセンサ１０Ｂでは、上述のように青色成分の偏光情報を生成する。したがって、色分解プリズム等を用いなくとも、所望の色成分毎の偏光情報を生成できるようになる。また、色成分毎にＣＭＯＳイメージセンサを設けることで、解像度を維持しつつ、詳細な偏光情報を得ることも可能である。
【００７０】
また、光分割部２０に代えて従来のように色分解プリズムを用いた場合、色分解光の波長に対応させてワイヤーグリッドの配列周期を調整すれば、所望の波長の光を精度よく透過（励起）することも可能である。さらに、ＣＭＯＳイメージセンサを４以上設けるようにすれば、解像度を維持しつつ、詳細な偏光情報をさらに詳細な色成分毎に取得することが可能となる。
【００７１】
＜３．固体撮像装置の他の構成について＞
ＣＭＯＳイメージセンサが図４に示す構成である場合、周辺部の画素では入射角が大きくなるため、光電変換素子１２３に光が入射しにくい。そこで、図１０に示す固体撮像装置の他の構成では、ワイヤーグリッドの上方（入射面面とは逆側）に、集光素子１２７例えばオンチップレンズを形成する。このように、集光素子１２７を設ければ、入射光を効率よく光電変換素子１２３に入射させることができる。
【００７２】
オンチップレンズは、例えば画素毎に設けてもよく、偏光方向が異なる複数の偏光画素で猛省された画素ブロック毎に設けてもよい。なお、図１０では画素毎に設けた場合を例示している。
【００７３】
さらに、入射光の入射角が大きくなる場合は、入射角に応じて、画素または画素ブロックに対するオンチップレンズの位置を入射光の方向へ移動してもよい。図１１は、入射角に応じて画素や画素ブロックに対するオンチップレンズの位置を移動した場合を示している。このように、入射角に応じて画素や画素ブロックに対するオンチップレンズの位置を調整して、入射角が大きくなる伴い、オンチップレンズの光軸位置ＬＰcを例えば画素の中心位置ＧＰcから入射光の方向により多く移動させる。この場合、オンチップレンズの中心位置が画素の中心位置とされている場合に比べて、偏光子１２６を介して光電変換素子１２３に効率よく入射光を入射させることができる。
【００７４】
また、ＣＭＯＳイメージセンサ１０には、非球面レンズ（あるいは複数枚のレンズを用いて構成されたレンズ群）を介して入射光が入射される場合がある。ここで、非球面レンズに入射される入射光と像高の関係は非線形特性を有している。したがって、ＣＭＯＳイメージセンサ１０に入射される入射光が、非球面レンズを介して入射される場合は、非球面レンズを介した入射光の入射角に応じて配列周期を調整する。
【００７５】
なお、本技術は、ワイヤーグリッド偏光子の配列方向や配列周期を所望の色成分の偏光情報が得られるように設定して、イメージセンサの入射面に設ければよく、ＣＭＯＳイメージセンサの構成は、図４や図１０，図１１に示す構成に限られない。また、ＣＭＯＳイメージセンサに限らず他の方式のイメージセンサ（例えばＣＣＤイメージセンサ）等であってもよい。
【００７６】
＜４．具体例＞
次に、偏光子１２６の材料として、例えばアルミニウムを用いた場合のワイヤーグリッドの配列周期について説明する。なお、埋め込み材は二酸化シリコンであり、誘電率は２．２５とする。
【００７７】
例えば赤色成分（λ＝６５０ｎｍ）の偏光情報を取得する場合、赤色成分の波長を式（４）に基づき角周波数とすると「２８９８ＴＨｚ」となる。また、アルミニウムのプラズマ周波数は「２４０００ＴＨｚ」である。アルミニウムの誘電率の周波数依存性についてドルーデモデルを用いると、式（５）に基づき赤色成分の波長（λ＝６５０ｎｍ）におけるアルミニウムの誘電率は「−６７．５６」となる。従って、式（６）に基づき、入射角θａ（＝０度）の配列周期Λｒθａは「４２６．０５７ｎｍ」となる。また、入射角θｂ（＝２０度）である場合、式（２）等に基づき、配列周期Λｒθｂは「５４９．１７３ｎｍ」となる。
【００７８】
緑色成分（λ＝５５０ｎｍ）の偏光情報を取得する場合、緑色成分の波長を式（４）に基づき角周波数とすると「３４２５ＴＨｚ」となる。また、アルミニウムのプラズマ周波数は「２４０００ＴＨｚ」である。アルミニウムの誘電率の周波数依存性についてドルーデモデルを用いると、式（５）に基づき緑色成分の波長（λ＝５５０ｎｍ）におけるアルミニウムの誘電率は「−４８．０９」となる。従って、式（６）に基づき、入射角θａ（＝０度）の配列周期Λｇθａは「３５７．９８６ｎｍ」となる。また、入射角θｂ（＝２０度）である場合、式（２）等に基づき、配列周期Λｇθｂは「４６０．５０１ｎｍ」となる。
【００７９】
青色成分（λ＝４５０ｎｍ）の偏光情報を取得する場合、青色成分の波長を式（４）に基づき角周波数とすると「４１８７ＴＨｚ」となる。また、アルミニウムのプラズマ周波数は「２４０００ＴＨｚ」である。アルミニウムの誘電率の周波数依存性についてドルーデモデルを用いると、式（５）に基づき青色成分の波長（λ＝４５０ｎｍ）におけるアルミニウムの誘電率は「−３１．８６」となる。従って、式（６）に基づき、入射角θａ（＝０度）の配列周期Λｂθａは「２８９．２１３ｎｍ」となる。また、入射角θｂ（＝２０度）である場合、式（２）等に基づき、配列周期Λｂθｂは「３７０．６９８ｎｍ」となる。
【００８０】
このように、アルミニウムを用いたワイヤーグリッドを偏光部材として用いて、ワイヤーグリッドの配列周期を図１０に示す周期として、配列方向を所定の偏光方向数以上とすれば、赤色成分と緑色成分と青色成分毎に偏光情報を得られる
なお、本明細書に記載した効果はあくまで例示であって限定されるものではなく、記載されていない付加的な効果があってもよい。また、本技術は、上述した技術の実施の形態に限定して解釈されるべきではない。この技術の実施の形態は、例示という形態で本技術を開示しており、本技術の要旨を逸脱しない範囲で当業者が実施の形態の修正や代用をなし得ることは自明である。すなわち、本技術の要旨を判断するためには、特許請求の範囲を参酌すべきである。
【００８１】
また、本技術の固体撮像装置は以下のような構成も取ることができる。
（１）  金属ワイヤーの配列方向が所望の偏光情報が得られる方向であり、前記金属ワイヤーの配列周期が入射光から所望の波長の光を透過する周期である光学素子を、撮像素子の入射面に設けた固体撮像装置。
（２）  前記光学素子は、ワイヤーグリッド偏光子である（１）に記載の固体撮像装置。
（３）  前記ワイヤーグリッドの前記配列方向と前記配列周期を画素単位で設定した（２）に記載の固体撮像装置。
（４）  複数画素からなる画素ブロックにおいて、各画素における前記ワイヤーグリッドの配列方向を互いに異なる方向とした（３）に記載の固体撮像装置。
（５）  前記複数画素からなる画素ブロックでは、各画素における前記ワイヤーグリッドの配列周期を等しい周期とする（４）に記載の固体撮像装置。
（６）  画素毎または前記画素ブロック毎にレンズを設けて、前記入射光を前記レンズと前記ワイヤーグリッドを介して前記入射面に入射させる（２）乃至（５）の何れかに記載の固体撮像装置。
（７）  前記入射光の入射角に応じて、前記画素または前記画素ブロックに対する前記レンズの位置を前記入射光の方向へ移動する（６）に記載の固体撮像装置。
（８）  前記入射光の入射角に応じて前記配列周期を調整して、前記所望の波長の光を透過させる（１）乃至（７）の何れかに記載の固体撮像装置。
（９）  非球面レンズを介して入射光が入射される場合、前記非球面レンズを介した入射光の入射角に応じて前記配列周期を調整する（１）乃至（８）の何れかに記載の固体撮像装置。
【００８２】
また、本技術によれば、下記のような構成の電子機器を提供できる
（１）  金属ワイヤーの配列方向が所望の偏光情報が得られる方向であり、前記金属ワイヤーの配列周期が入射光から所望の波長の光を透過する周期である光学素子を、撮像素子の入射面に設けた固体撮像装置と、
前記固体撮像装置で得られた所望の波長の偏光情報を用いて信号処理を行う信号処理部と
を備える電子機器。
【産業上の利用可能性】
【００８３】
この技術の固体撮像装置と電子機器では、金属ワイヤーの配列方向が所望の偏光情報が得られる方向であり、前記金属ワイヤーの配列周期が入射光から所望の波長の光を透過する周期である光学素子が、撮像素子の入射面に設けられる。したがって、色成分毎に偏光情報を容易に取得できるようになる。また、色成分毎に偏光情報を用いて、種々の信号処理例えば反射成分の除去や被写体の向きや姿勢の検出等を行うことができるので、監視システムや移動体制御システム等に適している。
【符号の説明】
【００８４】
１０，１０Ｒ，１０Ｇ，１０Ｂ・・・ＣＭＯＳイメージセンサ
１１・・・画素アレイ部
１２・・・垂直駆動部
１３・・・カラム処理部
１４・・・水平駆動部
１５・・・システム制御部
１６・・・画素駆動線
１７・・・垂直信号線
１８・・・信号処理部
１９・・・データ格納部
２０・・・光分割部
３５・・・法線情報生成部
１０１・・・配線層
１０２・・・半導体基板
１２１・・・配線
１２２・・・ゲート電極
１２３・・・光電変換素子
１２４・・・絶縁膜
１２５・・・遮光膜
１２６・・・偏光子
１２７・・・集光素子
【図１】
2019159080.tif 000006
【図２】
2019159080.tif 000007
【図３】
2019159080.tif 000008
【図４】
2019159080.tif 000009
【図５】
2019159080.tif 000010
【図６】
2019159080.tif 000011
【図７】
2019159080.tif 000012
【図８】
2019159080.tif 000013
【図９】
2019159080.tif 000014
【図１０】
2019159080.tif 000015
【図１１】
2019159080.tif 000016